(57)【要約】伝送バックログ情報を報告することに関する方法および装置が記載される。無線通信装置は、複数の異なる伝送要求グループに対応する伝送バックログ情報を維持しかつ更新する。異なる要求グループは、異なるアップリンクトラヒックキューに対応することができる。１つの要求報告機会に対して、通信装置は、伝送リソースの基地局割当てを考慮に入れた、以前に報告された要求に対するバックログの要求グループ変更と、要求グループ優先度情報とのファンクションとして、複数の異なる伝送要求グループの中から１つの要求グループを選択する。選択された要求グループに対応するバックログ情報を伝達する要求報告が生成され、生成された報告は、無線通信リンクを介して伝送される。
2009521858.tif 000002
【特許請求の範囲】
【請求項１】
伝送バックログ情報を報告する方法であって、
複数の異なる伝送要求グループに対応するバックログ情報を維持することと、
バックログ情報が維持される前記複数の異なる伝送要求グループから１つの要求グループを選択することとを備え、前記選択することが、伝送リソースの基地局割当てによるバックログの変更を考慮に入れた上での、以前に報告されたバックログ情報に対するバックログの要求グループ変更のファンクションとして実行される方法。
【請求項２】
前記選択することが、
前記伝送要求グループのうちの少なくとも１つが、伝送リソースの基地局割当てによるバックログの変更を考慮に入れた上で、その特定の要求グループのバックログ情報を伝達する最後に報告された要求報告に対してバックログのゼロ以外の変更を有するとき、伝送リソースの基地局割当てによるバックログの変更を考慮に入れた上で、その特定の要求グループのバックログ情報を伝達する最後に報告された要求報告に対してバックログのゼロ以外の変更を有する前記要求グループの中から、最も優先度の高い要求グループを選択することを含む、請求項１に記載の方法。
【請求項３】
前記選択された要求グループが、ｎビットサイズ要求報告形式の複数のサポートされた代替報告のうちの１つに対応し、異なる代替報告が異なる要求グループに対応しており、
前記ｎビットサイズ要求報告形式、および前記選択された要求グループに対応する前記代替報告に従ってｎビットサイズ要求報告を生成することを含む、請求項１に記載の方法。
【請求項４】
前記生成されたｎビットサイズ要求報告を、無線通信リンクを介して伝送することをさらに備える、請求項３に記載の方法。
【請求項５】
バックログ情報が維持される前記複数の異なる伝送要求グループから１つの要求グループを選択することが、
いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、ラウンドロビン選択処理に従って、前記複数の要求グループから１つの要求グループを選択することを含む、請求項１に記載の方法。
【請求項６】
バックログ情報が維持される前記複数の異なる伝送要求グループから１つの要求グループを選択することが、
いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、優先度順選択処理に従って、前記複数の要求グループから１つの要求グループを選択することを含む、請求項１に記載の方法。
【請求項７】
受信した伝送するべき情報、削除された情報、および伝送された情報のうちの少なくとも１つのファンクションとして、前記維持されるバックログ情報を更新することをさらに含む、請求項１に記載の方法。
【請求項８】
各要求グループが、伝送するべき情報を記憶するために使用される要求グループキューに対応する、請求項７に記載の方法。
【請求項９】
前記選択することが、
前記伝送要求グループのうちの少なくとも１つが、伝送リソースの基地局割当てによるバックログの変更を考慮に入れた上で、その特定の要求グループのバックログ情報を伝達する最後に報告された要求報告に対してバックログの正の変更を有するとき、伝送リソースの基地局割当てによるバックログの変更を考慮に入れた上で、その特定の要求グループのバックログ情報を伝達する最後に報告された要求報告に対してバックログの正の変更を有する前記要求グループの中から、最も優先度の高い要求グループを選択することを含む、請求項１に記載の方法。
【請求項１０】
前記選択することが、
前記伝送要求グループのうちの少なくとも１つが、伝送リソースの基地局割当てによるバックログの変更を考慮に入れた上で、その特定の要求グループのバックログ情報を伝達する最後に報告された要求報告に対して正のバックログおよびバックログの負でない変更を有するとき、伝送リソースの基地局割当てによるバックログの変更を考慮に入れた上で、その特定の要求グループのバックログ情報を伝達する最後に報告された要求報告に対して正のバックログおよびバックログの負でない変更を有する前記要求グループの中から、最も優先度の高い要求グループを選択することを含む、請求項１に記載の方法。
【請求項１１】
複数の異なる伝送要求グループに対応するバックログ情報を維持するための伝送バックログ管理モジュールと、
バックログ情報が維持される前記複数の異なる伝送要求グループから１つの要求グループを選択するための選択モジュールとを備え、前記選択することが、伝送リソースの基地局割当てによるバックログの変更を考慮に入れた上での、以前に報告されたバックログ情報に対するバックログの要求グループ変更のファンクションとして実行される無線通信装置。
【請求項１２】
前記選択することが、
前記伝送要求グループのうちの少なくとも１つが、伝送リソースの基地局割当てによるバックログの変更を考慮に入れた上で、その特定の要求グループのバックログ情報を伝達する最後に報告された要求報告に対してバックログのゼロ以外の変更を有するとき、伝送リソースの基地局割当てによるバックログの変更を考慮に入れた上で、その特定の要求グループのバックログ情報を伝達する最後に報告された要求報告に対してバックログのゼロ以外の変更を有する前記要求グループの中から、最も優先度の高い要求グループを選択することを含む、請求項１１に記載の無線通信装置。
【請求項１３】
ｎビットサイズ要求報告形式情報を含むメモリであって、前記ｎビットサイズ要求報告形式情報が複数の代替報告をサポートし、異なる代替報告が異なる要求グループに対応するメモリと、
前記ｎビットサイズ要求報告形式、および前記選択された要求グループに対応する前記代替報告に従ってｎビットサイズ要求報告を生成するための報告生成モジュールとをさらに備える、請求項１１に記載の無線通信装置。
【請求項１４】
前記生成されたｎビットサイズ要求報告を、無線通信リンクを介して伝送するための伝送モジュールをさらに備える、請求項１３に記載の無線通信装置。
【請求項１５】
前記選択モジュールが、いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、ラウンドロビン選択処理に従って、前記複数の要求グループから１つの要求グループを選択するための省略時選択モジュールを含む、請求項１１に記載の無線通信装置。
【請求項１６】
前記選択モジュールが、いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、優先度順選択処理に従って、前記複数の要求グループから１つの要求グループを選択するための省略時選択モジュールを含む、請求項１１に記載の無線通信装置。
【請求項１７】
前記伝送バックログ管理モジュールが、
受信した伝送するべき情報、削除された情報、および伝送された情報のうちの少なくとも１つのファンクションとして、前記維持されるバックログ情報を更新するためのバックログ更新モジュールを含む、請求項１１に記載の無線通信装置。
【請求項１８】
伝送するべき情報を記憶するために使用される複数の要求グループキューをさらに含み、各要求グループが要求グループキューに対応する、請求項１７に記載の無線通信装置。
【請求項１９】
前記無線通信装置が、手持ち式移動体通信装置である無線端末である、請求項１５に記載の無線通信装置。
【請求項２０】
前記選択することが、
前記伝送要求グループのうちの少なくとも１つが、伝送リソースの基地局割当てによるバックログの変更を考慮に入れた上で、その特定の要求グループのバックログ情報を伝達する最後に報告された要求報告に対してバックログの正の変更を有するとき、伝送リソースの基地局割当てによるバックログの変更を考慮に入れた上で、その特定の要求グループのバックログ情報を伝達する最後に報告された要求報告に対してバックログの正の変更を有する前記要求グループの中から、最も優先度の高い要求グループを選択することを含む、請求項１１に記載の無線通信装置。
【請求項２１】
前記選択することが、
前記伝送要求グループのうちの少なくとも１つが、伝送リソースの基地局割当てによるバックログの変更を考慮に入れた上で、その特定の要求グループのバックログ情報を伝達する最後に報告された要求報告に対して正のバックログおよびバックログの負でない変更を有するとき、伝送リソースの基地局割当てによるバックログの変更を考慮に入れた上で、その特定の要求グループのバックログ情報を伝達する最後に報告された要求報告に対して正のバックログおよびバックログの負でない変更を有する前記要求グループの中から、最も優先度の高い要求グループを選択することを含む、請求項１１に記載の無線通信装置。
【請求項２２】
複数の異なる伝送要求グループに対応するバックログ情報を維持するための手段と、
バックログ情報が維持される前記複数の異なる伝送要求グループから１つの要求グループを選択するための手段とを備え、前記選択することが、伝送リソースの基地局割当てによるバックログの変更を考慮に入れた上での、以前に報告されたバックログ情報に対するバックログの要求グループ変更のファンクションとして実行される、無線通信装置。
【請求項２３】
前記選択することが、
前記伝送要求グループのうちの少なくとも１つが、伝送リソースの基地局割当てによるバックログの変更を考慮に入れた上で、その特定の要求グループのバックログ情報を伝達する最後に報告された要求報告に対してバックログのゼロ以外の変更を有するとき、伝送リソースの基地局割当てによるバックログの変更を考慮に入れた上で、その特定の要求グループのバックログ情報を伝達する最後に報告された要求報告に対してバックログのゼロ以外の変更を有する前記要求グループの中から、最も優先度の高い要求グループを選択することを含む、請求項２２に記載の無線通信装置。
【請求項２４】
ｎビットサイズ要求報告形式情報を記憶するための手段であって、前記ｎビットサイズ要求報告形式情報が複数の代替報告をサポートし、異なる代替報告が異なる要求グループに対応する手段と、
前記ｎビットサイズ要求報告形式、および前記選択された要求グループに対応する前記代替報告に従って、ｎビットサイズ要求報告を生成するための手段とをさらに備える、請求項２２に記載の無線通信装置。
【請求項２５】
前記生成されたｎビットサイズ要求報告を、無線通信リンクを介して伝送するための手段をさらに備える、請求項２４に記載の無線通信装置。
【請求項２６】
要求グループを選択するための前記手段が、いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、ラウンドロビン選択処理に従って、前記複数の要求グループから１つの要求グループを選択するための手段を含む、請求項２２に記載の無線通信装置。
【請求項２７】
要求グループを選択するための前記手段が、いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、優先度順選択処理に従って、前記複数の要求グループから１つの要求グループを選択するための手段を含む、請求項２２に記載の無線通信装置。
【請求項２８】
バックログ情報を維持するための前記手段が、
受信した伝送するべき情報、削除された情報、および伝送された情報のうちの少なくとも１つのファンクションとして、前記維持されるバックログ情報を更新するための手段を含む、請求項２２に記載の無線通信装置。
【請求項２９】
伝送するべき情報を記憶するために使用される複数の要求グループキューを記憶するための手段をさらに含み、各要求グループが要求グループキューに対応する、請求項２８に記載の無線通信装置。
【請求項３０】
前記無線通信装置が、手持ち式移動体通信装置である無線端末である、請求項２２に記載の無線通信装置。
【請求項３１】
無線通信装置を制御して方法を実施するための機械実行可能命令を具体化するコンピュータ可読媒体であって、前記方法が、
複数の異なる伝送要求グループに対応するバックログ情報を維持することと、
バックログ情報が維持される前記複数の異なる伝送要求グループから１つの要求グループを選択することとを備え、前記選択することが、伝送リソースの基地局割当てによるバックログの変更を考慮に入れた上での、以前に報告されたバックログ情報に対するバックログの要求グループ変更のファンクションとして実行されるコンピュータ可読媒体。
【請求項３２】
前記伝送要求グループのうちの少なくとも１つが、伝送リソースの基地局割当てによるバックログの変更を考慮に入れた上で、その特定の要求グループのバックログ情報を伝達する最後に報告された要求報告に対してバックログのゼロ以外の変更を有するとき、バックログ情報が維持される前記複数の異なる伝送要求グループから１つの要求グループを選択する前記ステップの一部として、伝送リソースの基地局割当てによるバックログの変更を考慮に入れた上で、その特定の要求グループのバックログ情報を伝達する最後に報告された要求報告に対してバックログのゼロ以外の変更を有する前記要求グループの中から、最も優先度の高い要求グループを選択するための機械実行可能命令をさらに具体化する、請求項３１に記載のコンピュータ可読媒体。
【請求項３３】
前記選択された要求グループが、ｎビットサイズ要求報告形式の複数のサポートされた代替報告のうちの１つに対応し、異なる代替報告が異なる要求グループに対応しており、前記コンピュータ可読媒体が、
前記ｎビットサイズ要求報告形式、および前記選択された要求グループに対応する前記代替報告に従ってｎビットサイズ要求報告を生成するための機械実行可能命令をさらに具体化する、請求項３１に記載のコンピュータ可読媒体。
【請求項３４】
前記生成されたｎビットサイズ要求報告の、無線通信リンクを介する伝送を制御するための機械実行可能命令をさらに具体化する、請求項３３に記載のコンピュータ可読媒体。
【請求項３５】
いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、バックログ情報が維持される前記複数の異なる伝送要求グループから１つの要求グループを選択する前記ステップの一部として、ラウンドロビン選択処理に従って、前記複数の要求グループから１つの要求グループを選択するための機械実行可能命令をさらに具体化する、請求項３１に記載のコンピュータ可読媒体。
【請求項３６】
いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、バックログ情報が維持される前記複数の異なる伝送要求グループから１つの要求グループを選択する前記ステップの一部として、優先度順選択処理に従って、前記複数の要求グループから１つの要求グループを選択するための機械実行可能命令をさらに具体化する、請求項３１に記載のコンピュータ可読媒体。
【請求項３７】
複数の異なる伝送要求グループに対応するバックログ情報を維持し、
バックログ情報が維持される前記複数の異なる伝送要求グループから１つの要求グループを選択するように構成されたプロセッサを備え、前記選択することが、伝送リソースの基地局割当てによるバックログの変更を考慮に入れた上での、以前に報告されたバックログ情報に対するバックログの要求グループ変更のファンクションとして実行される装置。
【請求項３８】
前記プロセッサがさらに、
前記伝送要求グループのうちの少なくとも１つが、伝送リソースの基地局割当てによるバックログの変更を考慮に入れた上で、その特定の要求グループのバックログ情報を伝達する最後に報告された要求報告に対してバックログのゼロ以外の変更を有するとき、伝送リソースの基地局割当てによるバックログの変更を考慮に入れた上で、その特定の要求グループのバックログ情報を伝達する最後に報告された要求報告に対してバックログのゼロ以外の変更を有する前記要求グループの中から、最も優先度の高い要求グループを選択するように構成される、請求項３７に記載の装置。
【請求項３９】
前記選択された要求グループが、ｎビットサイズ要求報告形式の複数のサポートされた代替報告のうちの１つに対応し、異なる代替報告が異なる要求グループに対応しており、また前記プロセッサがさらに、
前記ｎビットサイズ要求報告形式、および前記選択された要求グループに対応する前記代替報告に従ってｎビットサイズ要求報告を生成するように構成される、請求項３７に記載の装置。
【請求項４０】
前記プロセッサがさらに、
前記生成されたｎビットサイズ要求報告の、無線通信リンクを介する伝送を制御するように構成される、請求項３９に記載の装置。
【請求項４１】
前記プロセッサがさらに、
いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、ラウンドロビン選択処理に従って、前記複数の要求グループから１つの要求グループを選択するように構成される、請求項３７に記載の装置。
【請求項４２】
前記プロセッサがさらに、
いずれの前記個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、優先度順選択処理に従って、前記複数の要求グループから１つの要求グループを選択するように構成される、請求項３７に記載の装置。
【発明の詳細な説明】
【技術分野】
【０００１】
本発明は、無線通信の方法および装置に関し、より詳細には、要求報告内、たとえばアップリンクトラヒックチャネル要求報告内で報告できる複数の可能な要求グループの中から１つの要求グループを選択することに関する方法および装置に関する。
【背景技術】
【０００２】
多元接続無線通信システムでは、複数の無線端末が、通常、限られたエアリンクリソースをめぐって競合している。無線端末は、アップリンクトラヒックシグナリングをサポートする状態で動作し、通常、制御情報を基地局接続点に伝える必要がある。この情報は、１つまたは複数の制御情報報告の形で伝えることができ、この制御情報報告により、基地局接続点は、無線端末を特徴づけ、かつアップリンク伝送リソースなどのリソースを割り当てることができる。
【０００３】
無線端末は、複数の異なるタイプの応用例に対応するアップリンクトラヒックをサポートすることができる。異なる時間には、この無線端末は、異なるトラヒックチャネルの報告を必要とする可能性がある。したがって、さまざまな代替報告を可能にする方法および装置が必要とされている。たとえば、固定ビットサイズ要求報告形式を使用したシステムでは、報告に使用するビット数を変更することなく、トラヒックの異なるグループ分けに対応する代替報告をサポートできた場合、有益であろう。加えて、代替報告をサポートするための方法および装置が開発されたと仮定すると、利用可能な代替報告の中から選択するために使用できる方法および／または装置も開発しかつ／またはサポートすることができた場合もまた、有益であろう。報告すること、および／または可能であれば代替報告の中から選択することを改善すると、効率的なエアリンクリソースの割当てを容易にし、かつ／または無線端末の変化するトラヒック要求および／またはサービス品質の要件を満たすのに役立つことができる。
【発明の開示】
【発明の概要】
【０００４】
さまざまな実施形態は、たとえば固定サイズ報告に対して複数の代替報告をサポートするための方法および装置を対象とする。一部の特徴は、制御情報要求報告、たとえば通信装置で伝送されるのを待つデータの量に関する情報を提供するアップリンクトラヒック報告に対して、ある代替報告に関連付けられた１つの要求グループを選択することに関する。そのような報告は、アップリンク伝送リソースに対する要求とみなしかつ／または解釈することができ、したがって、アップリンク要求報告と呼ばれることがある。
【０００５】
さまざまな実施形態は、伝送バックログ情報を報告することを対象とする。そのような一部の実施形態では、無線通信装置は、複数の異なる伝送要求グループに対応する伝送バックログ情報を維持しかつ更新する。異なる要求グループは、異なるアップリンクトラヒックキューに対応することができる。１つの要求報告機会に対して、通信装置は、基地局の知識、たとえば伝送リソースの基地局割当てを考慮に入れた、以前に報告された要求に対するバックログの要求グループ変更と、要求グループ優先度情報とのファンクションとして、複数の異なる伝送要求グループの中から１つの要求グループを選択する。選択された要求グループに対応するバックログ情報を伝達する要求報告が生成され、生成された報告は、無線通信リンクを介して伝送される。
【０００６】
さまざまな実施形態による伝送バックログ情報を報告するための例示的な方法は、複数の異なる伝送要求グループに対応するバックログ情報を維持することと、バックログ情報が維持される複数の異なる伝送要求グループから１つの要求グループを選択することとを備え、前記選択することは、伝送リソースの基地局割当てによるバックログの変更を考慮に入れた上での、以前に報告されたバックログ情報に対するバックログの要求グループの変更のファンクションとして実行される。
【０００７】
さまざまな実施形態はまた、無線通信装置、たとえば移動体ノードなどの無線端末を対象とする。１つの例示的な無線通信装置は、無線通信システムで使用するためのものであり、複数のサポートされた代替報告のうちの１つを使用して、伝送バックログ情報を基地局へ伝える。例示的な無線通信装置は、複数の異なる伝送要求グループに対応するバックログ情報を維持するための伝送バックログ管理モジュールと、バックログ情報が維持される複数の異なる伝送要求グループから１つの要求グループを選択するための選択モジュールとを含み、前記選択することが、伝送リソースの基地局割当てによるバックログの変更を考慮に入れた上での、以前に報告されたバックログ情報に対するバックログの要求グループの変更のファンクションとして実行される。
【０００８】
さまざまな実施形態について、上の概要で論じてきたが、必ずしもすべての実施形態が同じ特徴を含むわけではなく、前述の特徴のいくつかは、一部の実施形態では、必要ではないが望ましい場合があることを理解されたい。多数の追加の特徴、実施形態、および利益について、以下の詳細な説明で論じる。
【詳細な説明】
【０００９】
図１は、さまざまな実施形態によって実施される例示的な無線通信システム１００の図である。例示的な無線通信システム１００は、たとえば直交周波数分割多重方式（ＯＦＤＭ）の多元接続無線通信システムであり、少なくともいくつかの固定サイズマルチビット要求報告を含む専用制御チャネルアップリンク報告構造を使用する。これらの固定ビットサイズ要求報告を使用して、伝送バックログ情報、たとえば１つのキューまたは１組のキューに関する伝送されるのを待つ情報のフレーム数を報告することができる。１つのバックログ報告は、１つまたは複数の要求グループに関する情報を提供することができ、異なる要求グループは、伝送するべき情報を記憶するために使用できる異なるキューまたは異なる数組のキューに対応する。
【００１０】
例示的な無線通信システム１００は、複数の基地局（基地局１  １０２、．．．、基地局Ｍ  １０４）を含む。各基地局（１０２、１０４）は、それぞれ対応する無線カバレージエリア（セル１  １０６、セルＭ  １０８）を有する。システム１００はまた、ネットワークノード１１８も含み、ネットワークノード１１８は、ネットワークリンク（１２０、１２２）を介して、それぞれ基地局（１０２、１０４）に結合される。ネットワークノード１１８はまた、リンク１２４を介して、他のネットワークノードおよび／またはインターネットにも結合される。ネットワークリンク（１２０、１２２、１２４）は、たとえば光ファイバリンクである。システム１００はまた、複数のセクタを有するセル、および／または複数のキャリアを使用するセルを含むこともできる。
【００１１】
システム１００はまた、複数の無線端末も含む。無線端末のうちの少なくともいくつかは、移動体ノードであり、通信システム全体にわたって移動することができる。図１では、無線端末（ＷＴ  １  １１０、ＷＴ  Ｎ  １１２）は、セル１  １０６内に位置し、それぞれ無線リンク（１２６、１２８）を介して基地局１  １０２に結合される。図１では、無線端末（ＷＴ  １’１１４、ＷＴ  Ｎ’１１６）は、セルＭ  １０８内に位置し、それぞれ無線リンク（１３０、１３２）を介して基地局Ｍ  １０４に結合される。さまざまな実施形態によれば、少なくともいくつかの無線端末は、たとえば固定ビットサイズアップリンクトラヒックチャネル要求報告に対して要求報告形式を使用し、無線端末が、伝送するべき要求報告に対して、代替報告の中から選択できるようにする。前記代替報告は、少なくとも２つの異なる要求グループに対応する。たとえば、例示的な４ビットアップリンクトラヒックチャネル要求報告形式は、１６の互いに異なるビットパターンを含むことができ、１６のビットマッピングパターンの第１のサブセットは、要求グループ１フレームカウントバックログ情報のマッピングに関連付けることができ、１６のビットマッピングパターンの第２のサブセットは、要求グループ２フレームカウントバックログ情報のマッピングに関連付けることができ、また１６のビットマッピングパターンの第３のサブセットは、要求グループ３フレームカウントバックログ情報のマッピングに関連付けることができ、前記第１および第２および第３のサブセットは重複しない。この例を続けて、無線端末は、所与の報告機会に対して、要求グループのうちの１つを選択し、その要求グループ上でバックログ情報を報告する。一部の実施形態では、選択は、要求グループ内のバックログの変更、要求グループ内に情報が存在するかどうか、要求グループに関連付けられた優先度レベル、以前の要求報告、および／または基地局の以前の割当てのファンクションとして実行される。
【００１２】
図２は、さまざまな実施形態による例示的な無線端末２００、たとえば移動体ノードの図である。例示的な無線端末２００は、たとえば手持ち式移動体通信装置である。例示的な無線端末２００は、図１のシステム１００の無線端末１１０、１１２、１１４、１１６のいずれかとすることができる。
【００１３】
例示的な無線端末２００は、受信器モジュール２０２と、送信器モジュール２０４と、プロセッサ２０６と、ユーザ入出力装置２０８と、メモリ２１０とを含み、これらはバス２１２を介して互いに結合されており、バス２１２を介して、さまざまな要素は、データおよび情報を交換することができる。メモリ２１４は、ルーチン２１４と、データ／情報２１６とを含む。プロセッサ２０６、たとえばＣＰＵは、メモリ２１０内のルーチン２１４およびデータ／情報２１６を実行して、無線端末２００の動作を制御し、かつ方法を実施する。
【００１４】
受信器モジュール２０２、たとえばＯＦＤＭ受信器は、受信アンテナ２０３に結合され、受信アンテナ２０３を介して、無線端末は、基地局からダウンリンク信号を受信する。受信したダウンリンク信号は、アップリンクトラヒックチャネルセグメントに対する指定を伝達する指定信号を含む。
【００１５】
送信器モジュール２０４、たとえばＯＦＤＭ送信器は、送信アンテナ２０５に結合され、送信アンテナ２０５を介して、無線端末は、アップリンク信号を基地局へ伝送する。アップリンク信号は、専用制御チャネルセグメント信号と、トラヒックチャネルセグメント信号とを含む。専用制御チャネルセグメント信号のうちの少なくともいくつかは、トラヒックチャネルエアリンクリソースに対するアップリンク要求報告、たとえば１ビットアップリンクトラヒックチャネル要求報告、３ビットアップリンクトラヒックチャネル要求報告、および４ビットアップリンクトラヒックチャネル要求報告を伝達する。一部の実施形態では、受信器と送信器に対して同じアンテナが使用される。
【００１６】
ユーザ入出力装置２０８、たとえばマイクロフォン、キーパッド、キーボード、スイッチ、カメラ、スピーカ、表示装置などにより、無線端末２００のユーザは、データ／情報をインプットし、かつアウトプットデータ／情報にアクセスすることができる。ユーザ入出力装置２０８により、無線端末２００のユーザはまた、無線端末２００の少なくともいくつかの機能の制御、たとえば通信セッションおよび／またはアプリケーションの起動または終了を行うことができる。
【００１７】
ルーチン２１４は、伝送バックログ管理モジュール２１８と、選択モジュール２２０と、報告生成モジュール２２２と、伝送制御モジュール２２４とを含む。伝送バックログ管理モジュール２１８は、バックログ更新モジュール２２６を含む。選択モジュール２２０は、１次選択モジュール２２８と、省略時選択モジュール２３０とを含む。省略時選択モジュール２３０は、１つまたは複数の代替省略時選択モジュール（ラウンドロビン選択モジュール２３２、優先度順選択モジュール２３４）を含む。
【００１８】
伝送バックログ管理モジュール２１８は、複数の異なる伝送要求グループに対応するバックログ情報を維持する。バックログ更新モジュール２２６は、受信した伝送するべき情報、削除された情報、および伝送された情報のうちの少なくとも１つのファンクションとして、維持されるバックログ情報を更新する。
【００１９】
選択モジュール２２０は、バックログ情報が維持される複数の異なる伝送要求グループから１つの要求グループを選択する。前記選択することは、伝送リソースの基地局割当てによるバックログの変更を考慮に入れた上での、以前に報告されたバックログ情報に対するバックログの要求グループ変更の関数として実行される。たとえば、特定のタイプのｎビットアップリンクトラヒックチャネル要求報告、たとえば４ビットアップリンクトラヒックチャネル要求報告に対する複数の要求機会のそれぞれに対して、選択モジュール２２０は、バックログ情報がその報告機会に対して伝達される要求グループを識別して、選択を実行する。
【００２０】
一部の実施形態では、１次選択モジュール２２８は、伝送要求グループのうちの少なくとも１つが、伝送リソースの基地局割当てによるバックログの変更を考慮に入れた上で、その特定の要求グループのバックログ情報を伝達する最後に報告された要求報告に対してバックログのゼロ以外の変更を有するとき、伝送リソースの基地局割当てによるバックログの変更を考慮に入れた上で、その特定の要求グループのバックログ情報を伝達する最後に報告された要求報告に対してバックログのゼロ以外の変更を有する要求グループの中から、最も優先度の高い要求グループを選択する。
【００２１】
一部の実施形態では、１次選択モジュール２２８は、伝送要求グループのうちの少なくとも１つが、伝送リソースの基地局割当てによるバックログの変更を考慮に入れた上で、その特定の要求グループのバックログ情報を伝達する最後に報告された要求報告に対してバックログの正の変更を有するとき、伝送リソースの基地局割当てによるバックログの変更を考慮に入れた上で、その特定の要求グループのバックログ情報を伝達する最後に報告された要求報告に対してバックログの正の変更を有する要求グループの中から、最も優先度の高い要求グループを選択する。
【００２２】
一部の実施形態では、１次選択モジュール２２８は、伝送要求グループのうちの少なくとも１つが、伝送リソースの基地局割当てによるバックログの変更を考慮に入れた上で、その特定の要求グループのバックログ情報を伝達する最後に報告された要求報告に対して正のバックログおよびバックログの負でない変更を有するとき、伝送リソースの基地局割当てによるバックログの変更を考慮に入れた上で、その特定の要求グループのバックログ情報を伝達する最後に報告された要求報告に対して正のバックログおよびバックログの負でない変更を有する要求グループの中から、最も優先度の高い要求グループを選択する。
【００２３】
一部の実施形態では、省略時選択モジュール２３０は、いずれの個別の要求グループも、伝送リソースの基地局割当てによるバックログの変更を考慮に入れた上で、その特定の個別の要求グループのバックログ情報を伝達する最後に報告された要求報告に対してバックログのゼロ以外の変更をもたないとき、複数の要求グループの中から１つの要求グループを選択する。
【００２４】
一部の実施形態では、省略時選択モジュール２３０は、いずれの個別の要求グループも、伝送リソースの基地局割当てによるバックログの変更を考慮に入れた上で、その特定の個別の要求グループのバックログ情報を伝達する最後に報告された要求報告に対してバックログの正の変更をもたないとき、複数の要求グループの中から１つの要求グループを選択する。
【００２５】
一部の実施形態では、省略時選択モジュール２３０は、いずれの個別の要求グループも、伝送リソースの基地局割当てによるバックログの変更を考慮に入れた上で、その特定の個別の要求グループのバックログ情報を伝達する最後に報告された要求報告に対して正のバックログおよびバックログの負でない変更をもたないとき、複数の要求グループの中から１つの要求グループを選択する。
【００２６】
ラウンドロビン選択モジュール２３２は、ラウンドロビン選択処理ファンクションとして、省略時選択モジュール２３０に対する選択を実行する。図５Ｅの流れ図５３３は、ラウンドロビン選択処理の一例を表す。優先度順選択モジュール２３４は、優先度順選択処理ファンクションとして、省略時選択モジュール２３０に対する選択を実行する。図５Ｅの流れ図５３１は、優先度順選択処理の一例を表す。
【００２７】
一部の実施形態では、省略時選択モジュール２３０は、いずれの要求グループにもバックログが存在しないことが報告されるべきであると判断することがある。
【００２８】
報告生成モジュール２２２は、Ｎビットサイズ要求報告形式情報２３６と、情報２５２が示す選択された要求グループに対応する、情報２５４が示す代替報告とに従って、ｎビットサイズ要求報告を生成する。
【００２９】
送信器モジュール２０４は、この生成されたｎビットサイズ要求報告を、無線通信リンクを介して、たとえばこの無線端末の現在のネットワーク接続点として働く基地局へ伝送する。伝送制御モジュール２２４は、送信器モジュール２０４の動作を制御して、生成されたｎビットサイズ要求報告の、無線通信リンクを介する伝送を制御する。
【００３０】
データ／情報２１６は、Ｎビットサイズ、たとえば４ビットサイズの要求報告形式情報２３６と、専用制御チャネル報告構造情報２３８と、複数の要求グループ通信キュー（要求グループ１通信キュー２４０、．．．、要求グループｍ通信キュー２４２）と、複数の要求グループ優先度情報（要求グループ１優先度情報２４４、．．．、要求グループｍ優先度情報２４６）と、複数の要求グループキュー統計情報（要求グループ１キュー統計情報２４８、．．．、要求グループｍキュー統計情報２５０）と、選択された要求グループ情報２５２と、選択された代替報告情報２５４と、生成されたアップリンク要求報告情報２５６とを含む。Ｎビットサイズ報告形式情報２３６は、複数の組の代替報告ビットマッピング情報（代替報告１ビットマッピング情報２５８、．．．、代替報告Ｘビットマッピング情報２６０）を含む。要求グループ１キュー統計情報２４８は、フレームカウントＮ［１］２６２と、デルタフレームカウントΔＮ［１］２６４とを含む。要求グループｍキュー統計情報２５０は、フレームカウントＮ［ｍ］２６６と、デルタフレームカウントΔＮ［ｍ］２６９とを含む。
【００３１】
図９は、一部の実施形態で使用される例示的なＮビットサイズ要求報告形式情報２３６の一例を表す。図１０は、一部の実施形態で使用される例示的なＮビットサイズ要求報告形式情報２３６の別の例を表す。さまざまな実施形態では、ｎビットサイズ要求報告形式情報は、複数の代替報告をサポートし、異なる代替報告が、異なる要求グループに対応する。
【００３２】
専用制御チャネル（ＤＣＣＨ）報告構造情報２３８は、繰返し報告構造内のＤＣＣＨ論理チャネルトーンと、ＤＣＣＨセグメントと、セグメントへの異なるタイプの報告のマッピングと、関連付けられたタイミングとを識別する情報を含む。ＤＣＣＨ報告構造内の報告の異なるタイプには、Ｎビットサイズ要求報告形式情報２３６による要求報告タイプが含まれる。図６、７、および８は、いくつかの例示的なＤＣＣＨ報告構造情報を含む。
【００３３】
要求グループ通信キュー（要求グループ１通信キュー２４０、．．．要求グループｍ通信キュー２４２）は、伝送するべきデータを記憶するための複数の通信キューであり、各要求グループが、１つの通信キューに対応する。一部の実施形態では、異なる要求グループのうちの少なくともいくつかは、１組の通信キューに対応する。要求グループ優先度情報（要求グループ１優先度情報２４４、．．．、要求グループｍ優先度情報２４６）は、記憶された要求グループ優先度情報であり、異なる要求グループに関連付けられている。代替報告の選択は、一部の実施形態では、要求グループ優先度情報のファンクションとして実行される。さまざまな実施形態では、要求グループ優先度は所定である。要求グループキュー統計情報（要求グループ１キュー統計情報２４８、．．．、要求グループｍキュー統計情報２５０）は、それぞれバックログのフレームカウント、たとえばバックログのＭＡＣフレームカウント（Ｎ［１］２６２、．．．、Ｎ［ｍ］２６６）を含み、これらのフレームカウントは、それぞれ（要求グループ１通信キュー２４０、．．．、要求グループｍ通信キュー２４２）に対応する。要求グループキュー統計情報（要求グループ１キュー統計情報２４８、．．．、要求グループｍキュー統計情報２５０）は、それぞれバックログのデルタフレームカウント、たとえばバックログのデルタＭＡＣフレームカウント（ΔＮ［１］２６４、．．．、ΔＮ［ｍ］２６９）を含み、これらのデルタフレームカウントは、それぞれ（要求グループ１通信キュー２４０、．．．、要求グループｍ通信キュー２４２）に対応する。ある要求グループに対するデルタフレームカウント情報、たとえば要求グループ１に対するΔＮ［１］２６４は、基地局知識、たとえば伝送リソースの基地局割当てによる変更を考慮に入れた上で、その要求グループに対して最後に伝送されたバックログ情報に対して計算される。選択モジュール２２０は、選択された要求グループを決定する際に、キュー統計情報（２４８、．．．、２５０）を使用する。
【００３４】
選択された要求グループ情報２５２は、モジュール２２０のアウトプットおよびモジュール２２２へのインプットであり、たとえば、ｍ個の要求グループのうちのいずれの要求グループが選択モジュール２２０によって選択されているかを識別する識別子である。一部の実施形態では、選択された要求グループ情報は、いずれの要求グループもバックログをもたないことを示すことがある。選択された代替報告情報２５４は、選択された要求グループ情報２５２に対応し、要求報告形式情報２３６に従って、Ｘ個の代替報告のうちの１つを識別する。生成されたアップリンク要求報告情報２５６は、報告生成モジュール２２２のアウトプットである。たとえば、アップリンク要求報告が４ビットアップリンク要求報告である場合、この報告は、１６の異なるビットパターンのうちの１つである。
【００３５】
図３は、さまざまな実施形態による例示的な基地局３００の図である。例示的な基地局３００は、図１のシステム１００の例示的な基地局（ＢＳ  １  １０２、．．．、ＢＳ  Ｍ  １０４）のいずれかとすることができる。基地局３００は、受信器モジュール３０４と、送信器モジュール３０８と、プロセッサ３１０と、入出力インターフェース３１２と、メモリ３１４とを含み、これらはバス３１６を介して互いに結合されており、バス３１６を介して、さまざまな要素は、データおよび情報を交換することができる。メモリ３１４は、ルーチン３１８と、データ／情報３２０とを含む。プロセッサ３１０、たとえばＣＰＵは、ルーチン３１８を実行し、かつメモリ３１４内のデータ／情報３２０を使用して、基地局３００の動作を制御し、かつ方法を実施する。
【００３６】
受信器モジュール３０４、たとえばＯＦＤＭ受信器は、受信アンテナ３０２に結合され、受信アンテナ３０２を介して、基地局３００は、無線端末からアップリンク信号を受信する。前記受信したアップリンク信号は、専用制御チャネルセグメント信号を含み、専用制御チャネルセグメント信号のうちの少なくともいくつかが、トラヒックチャネル要求報告を伝達する。受信したアップリンク信号はまた、トラヒックチャネルセグメント信号も含む。送信器モジュール３０８、たとえばＯＦＤＭ送信器は、送信アンテナ３０６に結合され、送信アンテナ３０６を介して、基地局は、ダウンリンク信号を無線端末へ伝送する。前記ダウンリンク信号は、アップリンクトラヒックチャネルセグメントに対する指定を伝達する指定信号を含む。入出力インターフェース３１２は、基地局を他のネットワークノード、たとえば他の基地局および／またはインターネットに結合する。したがって入出力インターフェース３１２は、基地局３００をバックホールネットワークに結合することによって、基地局３００の接続点を使用する無線端末が、異なる基地局をそのネットワーク接続点として使用するピアノード、たとえば別の無線端末との通信セッションに参加できるようにする。
【００３７】
ルーチン３１８は、要求報告情報回復モジュール３２２と、スケジューラモジュール３２４と、要求グループ推論モジュール３２６と、要求グループ更新モジュール３２７とを含む。要求報告情報回復モジュール３２２は、Ｎビットサイズ要求報告形式情報３３４を含むデータ／情報３２０を使用して、受信した要求報告、たとえばアップリンク専用制御チャネルセグメント内で伝えられるトラヒックチャネルリソースに対する４ビット要求報告から、回復された情報を取得する。たとえば、ＷＴ  １に対応する回復された情報は、処理された要求報告から回復された情報３４２を含む。要求報告の情報ビットは、複数、たとえば１６の異なるパターンのうちの１つとすることができ、特定のビットパターンは、１つの要求グループまたは１組の要求グループが、バックログ内に特定の数のフレームを有し、またはそのバックログの範囲内に複数のフレームを有することを意味すると解釈される。たとえば、要求報告形式が図１０のものに対応する一例について考えると、ビットパターン＝００１０は、要求グループ１が、そのバックログ内に、伝送されるのを待つ２つのフレームを有することを示すことができる。
【００３８】
スケジューラモジュール３２４は、無線端末へのアップリンクおよびダウンリンクトラヒックチャネルセグメントをスケジュールする。たとえば、スケジューラモジュール３２４は、基地局３００を現在のネットワーク接続点として使用する動作状態がオンの無線端末から、固定ビットサイズアップリンクトラヒックチャネル要求報告、たとえばＵＬＲＱＳＴ４報告内で伝えられる、受信した要求に応答して、アップリンクトラヒックチャネルセグメントをスケジュールする。指定されたアップリンクトラヒックチャネルセグメント情報３５０は、ＷＴ  １に対するスケジューラ３２４指定、たとえば、ＷＴ  １に指定された特定のインデックス付きアップリンクトラヒックチャネルセグメントを識別する情報に対応する。
【００３９】
要求グループ推論モジュール３２６は、受信した要求報告内で直接報告されない要求グループについての推論を実行する。たとえば、所定の要求グループ優先度情報３３６は、要求グループ１の所定の優先度が要求グループ２または要求グループ３より高いことを識別し、また報告規則は、無線端末が、基地局知識、たとえばアップリンクセグメントの基地局の以前の割当てを考慮に入れた上で正のデルタバックログを有する、最も優先度の高いグループのバックログを報告するという規則であると考えられたい。そのような状況では、基地局は、要求グループ２に関する情報を伝達する報告を受信した場合、要求グループ１が正のデルタバックログをもたないと推測することができる。
【００４０】
要求グループ更新モジュール３２７は、回復モジュール３２２から取得した回復された情報、たとえば情報３４２と、推論モジュール３２６から取得した推論された情報、たとえば情報３４４とを使用して、無線端末に対応する組の要求グループ情報、たとえば（要求グループ１情報３４６、．．．、要求グループｍ情報３４８）を更新する。たとえば、要求グループ更新モジュール３２７は、数組の要求グループ情報のうちの１組または複数の組、たとえば（要求グループ１情報３４６、．．．、要求グループｍ情報３４８）に関して、新しい要求グループフレームカウントをロードし、要求フレームカウントを変更し、かつ／または要求グループカウントをクリアする。
【００４１】
データ／情報３２０は、複数の組の無線端末データ／情報（ＷＴ  １データ／情報３２８、．．．、ＷＴ  Ｎデータ／情報３３０）と、専用制御チャネル報告構造情報３３２と、Ｎビットサイズ要求報告形式情報３３４と、所定の要求グループ優先度情報３３６とを含む。ＷＴ  １データ／情報３２８は、処理された要求報告から回復された情報３４２と、要求グループに関する推論された情報３４４と、複数の組の要求グループ情報（要求グループ１情報３４６、．．．、要求グループｍ情報３４８）と、指定されたアップリンクトラヒックチャネルセグメント情報３５０とを含む。
【００４２】
Ｎビットサイズ、たとえば４ビットサイズ報告形式情報３３４は、複数のビットパターンに対する解釈情報（ビットパターン１に対する解釈情報３３８、．．．、ビットパターン２Ｎに対する解釈情報３４０）を含む。たとえば、Ｎ＝４である例示的な一実施形態では、１６の互いに異なるビットパターン（００００、０００１、．．．、１１１１）があり、各ビットパターンは、その報告内で伝達される情報についての異なる解釈を有する。
【００４３】
所定の要求グループ優先度情報３３６は、異なるアップリンクトラヒック要求グループを異なる所定の優先度に関連付ける情報を含む。一部の実施形態では、異なる無線端末は、使用されている要求グループに関連付けられた異なる優先度を有する。
【００４４】
専用制御チャネル（ＤＣＣＨ）報告構造情報３３２は、繰返し報告構造内のＤＣＣＨ論理チャネルトーンと、ＤＣＣＨセグメントと、セグメントへの異なるタイプの報告のマッピングと、関連付けられたタイミングとを識別する情報を含む。ＤＣＣＨ報告構造内の報告の異なるタイプには、Ｎビットサイズ要求報告形式情報３３４による要求報告タイプが含まれる。
【００４５】
図４Ａ、図４Ｂ、図４Ｃ、および図４Ｄの組合せを備える図４は、無線通信装置によって実施できる伝送バックログ情報を報告する例示的な方法の流れ図４００の図である。たとえば、例示的なＯＦＤＭ多元接続無線通信システム内の移動体ノードなどの例示的な無線端末は、流れ図４００の方法を実施して、アップリンクトラヒックに対する異なる伝送要求に関するバックログ情報を基地局へ報告することができる。一部の実施形態では、各要求グループは、伝送するべき情報を記憶するために使用される要求グループキューに対応する。例示的な方法は、ステップ４０２で開始される。たとえばステップ４０２で、通信装置に電源が投入され、初期化される。動作は、開始ステップ４０２からステップ４０４へ進む。
【００４６】
ステップ４０４で、通信装置は、複数の異なる伝送要求グループに対応するバックログ情報を維持する。バックログ情報は、たとえば、ある要求グループに対応する、伝送されるのを待つフレームのカウント、たとえばＭＡＣフレームのカウントを含む。動作は、ステップ４０４からステップ４０６へ進む。
【００４７】
ステップ４０６で、通信装置は、バックログ情報が維持される複数の異なる伝送要求グループから１つの要求グループを選択する。前記選択することは、伝送リソースの基地局割当てによるバックログの変更を考慮に入れた上での、以前に報告されたバックログ情報に対するバックログの要求グループ変更のファンクションとして実行される。ステップ４０６には、３つの例示的な代替選択方法が含まれる（代替Ａ選択方法４１４、代替Ｂ選択方法４１６、代替Ｃ選択方法４１８）。
【００４８】
代替Ａ選択方法４１４（図４Ｂ参照）では、通信装置は、サブステップ４２０で、伝送要求グループのうちの少なくとも１つが、伝送リソースの基地局割当てによるバックログの変更を考慮に入れた上で、その特定の要求グループのバックログ情報を伝達する最後に報告された要求報告に対してバックログのゼロ以外の変更を有するかどうかを判断する。サブステップ４２０で、要求グループのうちの少なくとも１つがゼロ以外の変更を有すると判断された場合、動作は、サブステップ４２０からサブステップ４２２へ進み、そうでない場合、動作は、サブステップ４２０からサブステップ４２４へ進む。
【００４９】
サブステップ４２２で、通信装置は、伝送リソースの基地局割当てによるバックログの変更を考慮に入れた上で、その特定の要求グループのバックログ情報を伝達する最後に伝送された要求報告に対してバックログのゼロ以外の変更を有する要求グループの中から、最も優先度の高い要求グループを選択する。サブステップ４２４で、通信装置は、複数の異なる要求グループの中から１つの要求グループを選択する。サブステップ４２４は、２つの代替サブステップ、サブステップ４２６およびサブステップ４２８を含む。サブステップ４２６では、通信装置は、ラウンドロビン選択処理に従って要求グループを選択する。サブステップ４２８では、通信装置は、優先度順選択処理に従って要求グループを選択する。
【００５０】
代替Ｂ選択方法４１６（図４Ｃ参照）では、通信装置は、サブステップ４３０で、伝送要求グループのうちの少なくとも１つが、伝送リソースの基地局割当てによるバックログの変更を考慮に入れた上で、その特定の要求グループのバックログ情報を伝達する最後に報告された要求報告に対してバックログの正の変更を有するかどうかを判断する。サブステップ４３０で、要求グループのうちの少なくとも１つが正の変更を有すると判断された場合、動作は、サブステップ４３０からサブステップ４３２へ進み、そうでない場合、動作は、サブステップ４３０からサブステップ４３４へ進む。
【００５１】
サブステップ４３２で、通信装置は、伝送リソースの基地局割当てによるバックログの変更を考慮に入れた上で、その特定の要求グループのバックログ情報を伝達する最後に伝送された要求報告に対してバックログの正の変更を有する要求グループの中から、最も優先度の高い要求グループを選択する。サブステップ４３４で、通信装置は、複数の異なる要求グループの中から１つの要求グループを選択する。サブステップ４３４は、２つの代替サブステップ、サブステップ４３６およびサブステップ４３８を含む。サブステップ４３６では、通信装置は、ラウンドロビン選択処理に従って要求グループを選択する。サブステップ４３８では、通信装置は、優先度順選択処理に従って要求グループを選択する。
【００５２】
代替Ｃ選択方法４１８（図４Ｄ参照）では、通信装置は、サブステップ４４０で、伝送要求グループのうちの少なくとも１つが、伝送リソースの基地局割当てによるバックログの変更を考慮に入れた上で、その特定の要求グループのバックログ情報を伝達する最後に報告された要求報告に対して正のバックログおよびバックログの負でない変更を有するかどうかを判断する。サブステップ４４０で、要求グループのうちの少なくとも１つが正のバックログおよびバックログの負でない変更を有すると判断された場合、動作は、サブステップ４４０からサブステップ４４２へ進み、そうでない場合、動作は、サブステップ４４０からサブステップ４３４へ進む。
【００５３】
サブステップ４４２で、通信装置は、伝送リソースの基地局割当てによるバックログの変更を考慮に入れた上で、その特定の要求グループのバックログ情報を伝達する最後に伝送された要求報告に対して正のバックログおよびバックログの負でない変更を有する要求グループの中から、最も優先度の高い要求グループを選択する。サブステップ４４４で、通信装置は、複数の異なる要求グループの中から１つの要求グループを選択する。サブステップ４４４は、２つの代替サブステップ、サブステップ４４６およびサブステップ４４８を含む。サブステップ４４６では、通信装置は、ラウンドロビン選択処理に従って要求グループを選択する。サブステップ４４８では、通信装置は、優先度順選択処理に従って要求グループを選択する。
【００５４】
図４Ａに戻ると、動作は、ステップ４０６からステップ４０８へ進む。ステップ４０８で、通信装置は、要求報告、たとえばＮビットサイズアップリンク要求報告を生成する。この要求報告は、選択された要求グループに対応するバックログ情報を報告する。一部の実施形態では、選択された要求グループは、ｎビットサイズ要求報告形式の複数のサポートされた代替報告のうちの１つに対応し、異なる代替報告が、異なる要求グループに対応する。また、生成されたｎビットサイズ要求報告は、ｎビットサイズ要求報告形式、および選択された要求グループに対応する前記代替報告に従う。
【００５５】
動作は、ステップ４０８からステップ４１０へ進む。ステップ４１０で、通信装置は、生成された要求報告、たとえばＮビットサイズ要求報告を、無線通信リンクを介して伝送する。
【００５６】
動作は、ステップ４１０からステップ４１２へ進む。ステップ４１２で、通信装置は、受信した伝送するべき情報、削除された情報、および伝送された情報のうちの少なくとも１つのファンクションとして、維持されるバックログ情報を更新する。動作は、ステップ４１２からステップ４０６へ進み、ステップ４０６で、通信装置は、たとえば伝送するべき別の要求報告に対する、別の要求グループ選択を実行する。
【００５７】
図５Ａ、図５Ｂ、図５Ｃ、図５Ｄ、図５Ｅ、および図５Ｆの組合せを備える図５は、無線通信装置を動作して伝送バックログ情報を報告する例示的な方法の流れ図５００の図である。たとえば、例示的なＯＦＤＭ多元接続無線通信システム内の移動体ノードなどの例示的な無線端末は、流れ図５００の方法を実施して、アップリンクトラヒックに対する３つの異なる伝送要求グループに関するバックログ情報を基地局へ報告することができる。動作は、ステップ５０２で開始し、ステップ５０２で、通信装置に電源が投入され、初期化される。動作は、開始ステップ５０２からステップ５０４およびステップ５０８へ進む。
【００５８】
ステップ５０８で、通信装置は、複数の異なる伝送要求グループに対応するバックログ情報を維持する。この例では、無線端末は、要求グループ１（ＲＧ１）、要求グループ２（ＲＧ２）、および要求グループ３（ＲＧ３）に対応するバックログ情報５０５を維持する。各要求グループ（ＲＧ１、ＲＧ２、ＲＧ３）は、伝送するべき情報、たとえば伝送するべきアップリンクトラヒックを記憶するために使用される１つの要求グループキューに対応する。バックログ情報５０５は、たとえば、要求グループに対応する、伝送するべきバックログのフレームカウント、たとえばバックログのＭＡＣフレームを含む。ここでＮ［１］はＲＧ１に対するフレームカウントであり、Ｎ［２］はＲＧ２に対するフレームカウントであり、またＮ［３］はＲＧ３に対するフレームカウントである。バックログ情報５０５はまた、要求グループに対応するデルタ情報も含み、ΔＮ［１］はＲＧ１に対応し、ΔＮ［２］はＲＧ２に対応し、またΔＮ［３］はＲＧ３に対応する。ここでデルタは、基地局に知られることが予期されるバックログの変更、たとえば伝送リソースの基地局割当てによるバックログの変更を考慮に入れた上での、その特定の要求グループのバックログ情報を伝達する最後に報告された要求報告に対する変更を示す。
【００５９】
動作は、ステップ５０４からステップ５０６へ進む。ステップ５０６で、通信装置は、受信した伝送するべき情報、削除された情報、および伝送された情報のうちの少なくとも１つのファンクションとして、維持されるバックログ情報５０５を更新する。ステップ５０６は、進行中に実行される。
【００６０】
要求グループ１、要求グループ２、および要求グループ３の検討を含む選択を報告する複数の報告機会のそれぞれに対して、動作は、開始ステップ５０２からステップ５０８へ進む。たとえば、一部の実施形態では、各機会は、専用制御チャネル報告構造内の、マルチビット、たとえば４ビットアップリンクトラヒックチャネル要求報告機会である。ステップ５０８では、バックログ情報５０５をインプットとして使用する。ステップ５０８では、動作を報告選択サブルーチンへ導く。図５Ｂの図５０９は、例示的な報告選択サブルーチン、代替１報告選択サブルーチンの流れ図である。図５Ｃの図５１１は、別の例示的な報告選択サブルーチン、代替２報告選択サブルーチンの流れ図である。図５Ｄの図５３５は、さらに別の例示的な報告選択サブルーチン、代替３報告選択サブルーチンの流れ図である。
【００６１】
図５Ｂの例示的な代替１報告選択サブルーチンについて、次に説明する。代替１報告選択サブルーチンの動作は、ステップ５１６で開始する。たとえばステップ５１６で、サブルーチンは、要求グループに対応するデルタカウント情報を含むバックログ情報５０５を受信する。動作は、開始ステップ５１６からステップ５１８へ進む。
【００６２】
ステップ５１８で、通信装置は、要求グループ１に関連付けられたデルタカウントがゼロに等しいかどうかを判断する。ステップ５１８で、ΔＮ［１］がゼロに等しくないと判断された場合、動作はステップ５２０へ進み、ステップ５２０で通信装置は、ＲＧ１を、選択された要求グループとして選択する。そうでない場合、動作は、ステップ５１８からステップ５２２へ進む。
【００６３】
ステップ５２２で、通信装置は、要求グループ２に関連付けられたデルタカウントがゼロに等しいかどうかを判断する。ステップ５２２で、ΔＮ［２］がゼロに等しくないと判断された場合、動作はステップ５２４へ進み、ステップ５２４で通信装置は、ＲＧ２を、選択された要求グループとして選択する。そうでない場合、動作は、ステップ５２２からステップ５２６へ進む。
【００６４】
ステップ５２６で、通信装置は、要求グループ３に関連付けられたデルタカウントがゼロに等しいかどうかを判断する。ステップ５２６で、ΔＮ［３］がゼロに等しくないと判断された場合、動作はステップ５２８へ進み、ステップ５２８で通信装置は、ＲＧ３を、選択された要求グループとして選択する。そうでない場合、動作はステップ５２６からステップ５３０へ進む。
【００６５】
ステップ５３０で、動作は、省略時選択サブルーチンへ導かれる。図５Ｅの流れ図５３１は、第１の代替省略時選択サブルーチンの流れ図であり、優先度順選択処理を使用する。図５Ｄの流れ図５３３は、第２の代替省略時選択サブルーチンの流れ図であり、ラウンドロビン選択処理を使用する。
【００６６】
動作は、ステップ５３４へ進み、ステップ５３４で動作は、省略時選択サブルーチンから、たとえばステップ５５４またはステップ５７６から、識別され選択された要求グループ、またはバックログなしの指示とともに戻る。動作は、ステップ５２０、５２４、５３４、および５２８のうちの１つから、ステップ５３６へ進む。ステップ５３６で、報告選択サブルーチンは終了し、このサブルーチンは、識別され選択された要求グループ、またはバックログなしの指示を返す。
【００６７】
図５Ｃの例示的な代替２報告選択サブルーチンについて、次に説明する。代替２報告選択サブルーチンの動作は、ステップ５１３で開始する。たとえばステップ５１３で、サブルーチンは、要求グループに対応するデルタカウント情報を含むバックログ情報５０５を受信する。動作は、開始ステップ５１３からステップ５１５へ進む。
【００６８】
ステップ５１５で、通信装置は、要求グループ１に関連付けられたデルタカウントがゼロより大きいかどうかを判断する。ステップ５１５で、ΔＮ［１］がゼロより大きいと判断された場合、動作はステップ５１９へ進み、ステップ５１９で通信装置は、ＲＧ１を、選択された要求グループとして選択する。そうでない場合、動作はステップ５１５からステップ５１７へ進む。
【００６９】
ステップ５１７で、通信装置は、要求グループ２に関連付けられたデルタカウントがゼロより大きいかどうかを判断する。ステップ５１７で、ΔＮ［２］がゼロより大きいと判断された場合、動作はステップ５２３へ進み、ステップ５２３で通信装置は、ＲＧ２を、選択された要求グループとして選択する。そうでない場合、動作はステップ５１７からステップ５２１へ進む。
【００７０】
ステップ５２１で、通信装置は、要求グループ３に関連付けられたデルタカウントがゼロより大きいかどうかを判断する。ステップ５２１で、ΔＮ［３］がゼロより大きいと判断された場合、動作はステップ５２５へ進み、ステップ５２５で通信装置は、ＲＧ３を、選択された要求グループとして選択する。そうでない場合、動作はステップ５２１からステップ５２７へ進む。
【００７１】
ステップ５２７で、動作は、省略時選択サブルーチンへ導かれる。図５Ｅの流れ図５３１は、第１の代替省略時選択サブルーチンの流れ図であり、優先度順選択処理を使用する。図５Ｆの流れ図５３３は、第２の代替省略時選択サブルーチンの流れ図であり、ラウンドロビン選択処理を使用する。
【００７２】
動作は、ステップ５２９へ進み、ステップ５２９で動作は、省略時選択サブルーチンから、たとえばステップ５５４またはステップ５７６から、識別され選択された要求グループ、またはバックログなしの指示とともに戻る。動作は、ステップ５１９、５２３、５２５、および５２９のうちの１つから、ステップ５３１へ進む。ステップ５３１で、報告選択サブルーチンは終了し、このサブルーチンは、識別され選択された要求グループ、またはバックログなしの指示を返す。
【００７３】
図５Ｄの例示的な代替３報告選択サブルーチンについて、次に説明する。代替３報告選択サブルーチンの動作は、ステップ５３７で開始する。たとえばステップ５３７で、サブルーチンは、要求グループに対応するカウント情報およびデルタカウント情報を含むバックログ情報５０５を受信する。動作は、開始ステップ５３７からステップ５３９へ進む。
【００７４】
ステップ５３９で、通信装置は、要求グループ１が正のバックログを有するかどうか、また要求グループ１に関連付けられたデルタカウントがゼロ以上であるかどうかを判断する。ステップ５３９で、Ｎ［１］が０より大きく、またΔＮ［１］がゼロ以上であると判断された場合、動作はステップ５４３へ進み、ステップ５４３で通信装置は、ＲＧ１を、選択された要求グループとして選択する。そうでない場合、動作はステップ５３９からステップ５４１へ進む。
【００７５】
ステップ５４１で、通信装置は、要求グループ２が正のバックログを有するかどうか、また要求グループ２に関連付けられたデルタカウントがゼロ以上であるかどうかを判断する。ステップ５４１で、Ｎ［２］が０より大きく、またΔＮ［２］がゼロ以上であると判断された場合、動作はステップ５４７へ進み、ステップ５４７で通信装置は、ＲＧ２を、選択された要求グループとして選択する。そうでない場合、動作はステップ５４１からステップ５４５へ進む。
【００７６】
ステップ５４５で、通信装置は、要求グループ３が、正のバックログを有するどうか、また要求グループ３に関連付けられたデルタカウントがゼロ以上であるかどうかを判断する。ステップ５４５で、Ｎ［３］が０より大きく、またΔＮ［３］がゼロ以上であると判断された場合、動作はステップ５４９へ進み、ステップ５４９で通信装置は、ＲＧ３を、選択された要求グループとして選択する。そうでない場合、動作はステップ５４５からステップ５５１へ進む。
【００７７】
ステップ５５１で、動作は、省略時選択サブルーチンへ導かれる。図５Ｅの流れ図５３１は、第１の代替省略時選択サブルーチンの流れ図であり、優先度順選択処理を使用する。図５Ｆの流れ図５３３は、第２の代替省略時選択サブルーチンの流れ図であり、ラウンドロビン選択処理を使用する。
【００７８】
動作は、ステップ５５３へ進み、ステップ５５３で動作は、省略時選択サブルーチンから、たとえばステップ５５４またはステップ５７６から、識別され選択された要求グループ、またはバックログなしの指示とともに戻る。動作は、ステップ５４３、５４７、５４９、および５５３のうちの１つから、ステップ５５５へ進む。ステップ５５５で、報告選択サブルーチンは終了し、このサブルーチンは、識別され選択された要求グループまたはバックログなしの指示を返す。
【００７９】
図５Ｅの流れ図５３１の省略時選択サブルーチン（代替Ａ）の例示的な方法について、次に説明する。この省略時選択サブルーチンの動作は、ステップ５３８で開始し、ステップ５４０へ進む。ステップ５４０で、通信装置は、要求グループ１に対応するフレームカウントがゼロに等しいかどうかを判断する。Ｎ［１］＝０と判断された場合、動作は、ステップ５４０からステップ５４４へ進む。そうでない場合、動作はステップ５４０からステップ５４２へ進み、ステップ５４２で通信装置は、ＲＧ１を、選択された要求グループとして選択する。
【００８０】
ステップ５４４で、通信装置は、要求グループ２に対応するフレームカウントがゼロに等しいかどうかを判断する。Ｎ［２］＝０と判断された場合、動作は、ステップ５４４からステップ５４８へ進む。そうでない場合、動作はステップ５４４からステップ５４６へ進み、ステップ５４６で通信装置は、ＲＧ２を、選択された要求グループとして選択する。
【００８１】
ステップ５４８で、通信装置は、要求グループ３に対応するフレームカウントがゼロに等しいかどうかを判断する。Ｎ［３］＝０と判断された場合、動作は、ステップ５４８からステップ５５２へ進む。そうでない場合、動作はステップ５４８からステップ５５０へ進み、ステップ５５０で通信装置は、ＲＧ３を、選択された要求グループとして選択する。ステップ５５２で、このサブルーチンは、ＲＧ１、ＲＧ２、およびＲＧ３に対応するバックログなしの指示を提供する。
【００８２】
動作は、ステップ５４２、５４６、５５０、および５５２のうちの１つから、ステップ５５４へ進む。ステップ５５４で、このサブルーチンは終了し、識別され選択された要求グループ、またはバックログなしの指示を返す。
【００８３】
図５Ｆの流れ図５３３の省略時選択サブルーチン（代替Ｂ）の例示的な方法について、次に説明する。この省略時選択サブルーチンの動作は、ステップ５５６で開始し、ステップ５６２へ進む。ステップ５６２で、サブルーチンは、記憶された情報５６０から、記憶されている最後に選択された要求グループ、たとえば、サブルーチンの前回の実行時にこのサブルーチンによって、またはこれが偶然にサブルーチンの第１回目の実行である場合には初期化値によって選択された、最後に選択された要求グループを取り出す。
【００８４】
動作は、ステップ５６２からステップ５６４へ進む。ステップ５６４で、記憶されている最後に選択された要求グループがＲＧ１であったかどうかを判断する。ステップ５６４で、記憶されている最後に選択された要求グループがＲＧ１であると判断された場合、動作はステップ５６６へ進み、ステップ５６６でサブルーチンは、ＲＧ２を、選択された要求グループとして選択する。そうでない場合、動作はステップ５６８へ進む。
【００８５】
ステップ５６８で、記憶されている最後に選択された要求グループがＲＧ２であったかどうかを判断する。ステップ５６４で、記憶されている最後に選択された要求グループがＲＧ２であると判断された場合、動作はステップ５７０へ進み、ステップ５７０でサブルーチンは、ＲＧ３を、選択された要求グループとして選択する。そうでない場合、動作はステップ５７２へ進む。ステップ５７２で、省略値により、ＲＧ３が記憶されている最後に選択された要求グループとされていたので、サブルーチンは、ＲＧ１を、選択された要求グループとして選択する。
【００８６】
動作は、ステップ５６６、５７０、および５７２のうちの１つから、ステップ５７４へ進む。ステップ５７４で、サブルーチンは、ステップ５６６、５７０、および５７２のうちの１つの選択に基づき、情報５６０内に記憶されている最後に選択された要求グループを更新する。動作は、ステップ５７４からステップ５７６へ進み、ステップ５７６で、このサブルーチンは終了し、識別され選択された要求グループを返す。
【００８７】
図５Ａに戻ると、動作は、ステップ５１０へ進み、ステップ５１０で動作は、報告選択サブルーチンから、たとえばステップ５３６、ステップ５３１、および５５５のうちの１つから、識別され選択された要求グループ、またはバックログなしを報告するための指示とともに戻る。一部の実施形態では、選択された要求グループは、ｎビットサイズ要求報告の複数のサポートされた代替報告のうちの１つに対応し、異なる代替報告が、異なる要求グループに対応する。たとえば、ｎビットサイズ報告は、４ビット報告とすることができ、１６の代替可能な４ビットのビットパターンを有することができる。要求グループ１バックログの報告に関連付けられた第１の代替報告は、それらの１６のビットパターンのうちの第１のサブセットを含むことができ、要求グループ２バックログの報告に関連付けられた第２の代替報告は、それらの１６のビットパターンのうちの第２のサブセットを含むことができ、また要求グループ３バックログの報告に関連付けられた第３の代替報告は、それらの１６のビットパターンのうちの第３のサブセットを含むことができる。前記第１、第２、および第３のサブセットは、重複しない。
【００８８】
次いでステップ５１２で、通信装置は、要求報告、たとえばＮビットサイズ要求報告を生成する。この要求報告は、選択された要求グループに対応するバックログ情報を報告し、またはバックログなしを報告する。一部の実施形態では、生成されたｎビットサイズ要求報告は、ｎビットサイズ要求報告形式、および選択された要求グループに対応する前記代替報告に従う。
【００８９】
動作は、ステップ５１２からステップ５１４へ進む。ステップ５１４で、通信装置は、生成された要求報告、たとえばＮビットサイズ要求報告を、無線通信リンクを介して伝送する。
【００９０】
一部の実施形態では、選択が考慮されている要求グループの数は、２である。一部の実施形態では、選択が考慮されている要求グループの数は、３より大きい数、たとえば４、５、６、７、８、または９である。
【００９１】
図６は、例示的な直交周波数分割多重方式（ＯＦＤＭ）の多元接続無線通信システムにおける、例示的なアップリンクタイミングおよび周波数構造内の例示的なアップリンク専用制御チャネル（ＤＣＣＲ）セグメントの図６００である。アップリンク専用制御チャネルは、専用制御報告（ＤＣＲ）を無線端末から基地局へ送出するために使用される。垂直軸６０２は、論理アップリンクトーンインデックスを表し、水平軸６０４は、１つのビーコンスロット内のハーフスロットのアップリンクインデックスを表す。この例では、１つのアップリンクトーンブロックは、１１３のインデックス付き論理アップリンクトーン（０、．．．、１１２）を含む。１つのハーフスロット内には、７つの連続するＯＦＤＭ記号伝送時間周期があり、１つのスーパースロット内には、２つの追加のＯＦＤＭ記号時間周期に続いて、１６の連続するハーフスロットがあり、１つのビーコンスロット内には、８つの連続するスーパースロットがある。１つのスーパースロット内の先頭の９つのＯＦＤＭ記号伝送時間周期は、アクセス区間であり、専用制御チャネルは、このアクセス区間のエアリンクリソースを使用しない。
【００９２】
例示的な専用制御チャネルは、３１の論理トーン（アップリンクトーンインデックス８１  ６０６、アップリンクトーンインデックス８２  ６０８、．．．、アップリンクトーンインデックス１１１  ６１０）に細分される。論理アップリンク周波数構造内の各論理アップリンクトーン（８１、．．．、１１１）は、ＤＣＣＨチャネルに対するインデックス付き論理トーン（０、．．．、３０）に対応する。
【００９３】
専用制御チャネル内の各トーンには、ビーコンスロット内に４０のセグメントが存在し、それらが４０の列（６１２、６１４、６１６、６１８、６２０、６２２、．．．、６２４）に対応する。このセグメント構造は、ビーコンスロットごとに繰り返す。専用制御チャネル内の所与のトーンには、ビーコンスロット６２８に対応する４０のセグメントが存在し、ビーコンスロットの８つのスーパースロットのそれぞれは、所与のトーンに対して５つの連続するセグメントを含む。たとえば、ビーコンスロット６２８の第１のスーパースロット６２６には、ＤＣＣＨのトーン０に対応して、５つのインデックス付きセグメント（セグメント［０］［０］、セグメント［０］［１］、セグメント［０］［２］、セグメント［０］［３］、セグメント［０］［４］）が存在する。同様に、ビーコンスロット６２８の第１のスーパースロット６２６には、ＤＣＣＨのトーン１に対応して、５つのインデックス付きセグメント（セグメント［１］［０］、セグメント［１］［１］、セグメント［１］［２］、セグメント［１］［３］、セグメント［１］［４］）が存在する。同様に、ビーコンスロット６２８の第１のスーパースロット６２６には、ＤＣＣＨのトーン３０に対応して、５つのインデックス付きセグメント（セグメント［３０］［０］、セグメント［３０］［１］、セグメント［３０］［２］、セグメント［３０］［３］、セグメント［３０］［４］）が存在する。
【００９４】
この例では、各セグメント、たとえばセグメント［０］［０］は、３つの連続するハーフスロットで１つのトーンを備え、たとえば２１のＯＦＤＭトーン記号の割り当てられたアップリンクエアリンクリソースを表す。一部の実施形態では、論理アップリンクトーンは、アップリンクトーンホッピング系列に従って物理トーンにホッピングされ、その結果、論理トーンに関連付けられた物理トーンが、連続するハーフスロットでは異なる可能性があるが、所与のハーフスロット中は一定のままとなるようにする。
【００９５】
専用制御チャネルの各論理トーンは、基地局により、その基地局をその現在の接続点として使用する異なる無線端末に指定することができる。たとえば、論理トーン（６０６、６０８、．．．、６１０）は現在、それぞれ（ＷＴ  Ａ  ６３０、ＷＴ  Ｂ  ６３２、．．．、ＷＴ  Ｎ’６３４）に指定することができる。
【００９６】
各アップリンクＤＣＣＨセグメントは、１組の専用制御チャネル報告（ＤＣＲ）を伝送するために使用される。例示的なＤＣＲの一覧を、図７の表７００に示す。表７００の第１の列７０２は、各例示的な報告に使用される短縮名を記載する。各報告の名前には、末尾にＤＣＲのビット数を指定する数が付いている。表７００の第２の列７０４は、各名前付き報告について簡単に記載する。
【００９７】
図８は、たとえば１つの無線端末に対応する、所与のＤＣＣＨトーンに対する例示的なビーコンスロット内の例示的な報告形式情報を示す図面８９９である。図８では、各ブロック（８００、８０１、８０２、８０３、８０４、８０５、８０６、８０７、８０８、８０９、８１０、８１１、８１２、８１３、８１４、８１５、８１６、８１７、８１８、８１９、８２０、８２１、８２２、８２３、８２４、８２５、８２６、８２７、８２８、８２９、８３０、８３１、８３２、８３３、８３４、８３５、８３６、８３７、８３８、８３９）は、１つのセグメントを表し、そのインデックスｓ２（０、．．．、３９）を、そのブロックの上の、長方形領域８４０内に示す。各ブロック、たとえばセグメント０を表すブロック８００は、６つの情報ビットを伝達する。各ブロックは６つの行を備え、これらの行が、そのセグメント内の６つのビットに対応する。それらのビットを、長方形領域８４３内に示すように、上の行から下の行へ下向きに、最上位ビットから最下位ビットまで列挙する。
【００９８】
図９は、例示的な４ビットアップリンクトラヒック要求報告（ＵＬＲＱＳＴ４）の例示的な形式を記載する表９０２と、代替報告を記載する列９０４とを含む図９００である。表９０２の列９０６は、その報告に対する１６の可能な情報ビットパターンを列挙し、列９０８は、可能なビットパターンのそれぞれに対応して伝達される、報告されたバックログ情報を列挙する。たとえば、Ｎ［１］＝２は、要求グループ１がそのバックログ内に伝送するべき２つのフレームを有することを示し、Ｎ［２］＝４：５は、要求グループ２がそのバックログ内に伝送するべき４つまたは５つのフレームを有することを示し、Ｎ［３］≧３３は、要求グループ３がそのバックログ内に３３以上のフレームを有することを示す。列９０４は、代替報告Ａが、要求グループ１、２、および３がバックログをもたないことを報告し、かつビットパターン００００に対応することを示す。列９０４はまた、代替報告Ｂが、要求グループ１バックログを報告し、かつビットパターン（０００１、００１０、および００１１）に対応しており、代替報告Ｃが、要求グループ２バックログを報告し、かつビットパターン（０１００、０１０１、０１１０、および０１１１）に対応しており、代替報告Ｄが、要求グループ３バックログを報告し、かつビットパターン（１０００、１００１、１０１０、１０１１、１１００、１１０１、１１１０、および０１１１）に対応することも示す。
【００９９】
図１０は、例示的な４ビットアップリンクトラヒック要求報告（ＵＬＲＱＳＴ４）の別の例示的な形式を記載する表１００２と、代替報告を記載する列１００４とを含む図１０００である。表１００２の列１００６は、その報告に対する１６の可能な情報ビットパターンを列挙し、列１００８は、可能なビットパターンのそれぞれに対応して伝達される、報告されたバックログ情報を列挙する。たとえば、Ｎ［１］＝０は、要求グループ１がそのバックログ内に伝送するべきフレームをもたないことを示し、Ｎ［２］＝３：６は、要求グループ２がそのバックログ内に伝送するべき３つ、４つ、５つ、または６つのフレームを有することを示し、Ｎ［３］≧３３は、要求グループ３がそのバックログ内に３３以上のフレームを有することを示す。列１００４は、代替報告Ａが、要求グループ１バックログを報告し、かつビットパターン（００００、０００１、００１０、および００１１）に対応しており、代替報告Ｂが、要求グループ２バックログを報告し、かつビットパターン（０１００、０１０１、０１１０、および０１１１）に対応しており、代替報告Ｃが、要求グループ３バックログを報告し、かつビットパターン（１０００、１００１、１０１０、１０１１、１１００、１１０１、１１１０、および０１１１）に対応することを示す。
【０１００】
図１１は、例示的な無線端末内の３つの例示的な要求グループを記載する図１１００である。一部の実施形態では、図１１の情報は、無線端末２００のデータ／情報２１６の一部として含まれる。列１１０２は、要求グループ１が、アップリンクトラヒックに対するキューと、そのキューの現在のフレームカウントＮ［１］と、最後に報告されたフレームカウントＮＲＰＴＯＬＤ［１］と、基地局割当てに対するフレームカウント調整ＮＢＳＡＤＪ［１］と、デルタフレームカウントΔＮ［１］とを有することを記載する。要求グループに対応する報告内で伝送された最後に報告されたフレームカウント、ＮＲＰＴＯＬＤ［１］は、同じタイプの要求報告、たとえば同じビットサイズ要求報告、または異なるタイプの要求報告、たとえば異なるビットサイズ要求報告内で伝えられた可能性がある。基地局調整値ＮＢＳＡＤＪ［１］は、数フレームの要求グループ１情報を伝達するためのアップリンクトラヒックチャネルセグメントの１つ前の指定に対応する可能性がある。一部の実施形態では、ΔＮ［１］＝（Ｎ［１］−ＮＲＰＴＯＬＤ［１］）−ＮＢＳＡＤＪ［１］である。
【０１０１】
列１１０４は、要求グループ２が、アップリンクトラヒックに対するキューと、そのキューの現在のフレームカウントＮ［２］と、最後に報告されたフレームカウントＮＲＰＴＯＬＤ［２］と、基地局割当てに対するフレームカウント調整ＮＢＳＡＤＪ［２］と、デルタフレームカウントΔＮ［２］とを有することを記載する。列１１０６は、要求グループ３が、アップリンクトラヒックに対するキューと、そのキューの現在のフレームカウントＮ［３］と、最後に報告されたフレームカウントＮＲＰＴＯＬＤ［３］と、基地局割当てに対するフレームカウント調整ＮＢＳＡＤＪ［３］と、デルタフレームカウントΔＮ［３］とを有することを記載する。
【０１０２】
一部の実施形態では、異なる要求グループは、異なるタイプのトラヒックに対応する。たとえば、例示的な一実施形態では、要求グループ１は制御トラヒックに対応し、要求グループ２は音声トラヒックに対応し、要求グループ３はデータトラヒックに対応する。別の例示的な実施形態では、要求グループ１は音声トラヒックに対応し、要求グループ２は他の時間依存トラヒック、たとえば利得トラヒックに対応し、要求グループ３は比較的時間に依存しないトラヒック、たとえばデータファイル転送トラヒックを含むトラヒックに対応する。
【０１０３】
ＯＦＤＭシステムについて説明したが、さまざまな実施形態の方法および装置は、多くの非ＯＦＤＭおよび／または非移動通信システムを含む、広い範囲の通信システムに適用することができる。
【０１０４】
さまざまな実施形態では、本明細書に記載のノードは、１つまたは複数のモジュールを使用して実施され、１つまたは複数の方法に対応するステップ、たとえば伝送バックログ管理、要求グループ選択、報告生成などを実行する。一部の実施形態では、さまざまな特徴は、モジュールを使用して実施される。そのようなモジュールは、ソフトウェア、ハードウェア、またはソフトウェアとハードウェアとの組合せを使用して実施することができる。前述の方法または方法ステップの多くは、メモリ装置、たとえばＲＡＭ、フロッピー（登録商標）ディスクなどの機械読取り可能な媒体内に含まれる、ソフトウェアなどの機械実行可能命令を使用して実施することができ、機械、たとえば追加のハードウェアの有無にかかわらず汎用コンピュータを制御して、前述の方法をすべてまたは部分的に、たとえば１つまたは複数のノード内で実施することができる。したがって、さまざまな実施形態はとりわけ、機械、たとえばプロセッサおよび付随するハードウェアに、前述の１つまたは複数の方法のステップのうちの１つまたは複数を実行させるための、機械実行可能命令を含む、機械読取り可能な媒体を対象とする。
【０１０５】
前述の方法および装置の多数の追加の変形形態は、上の説明を見れば、当業者には明らかになるであろう。そのような変形形態は、範囲内であるものとみなされるべきである。さまざまな実施形態の方法および装置は、ＣＤＭＡ、直交周波数分割多重方式（ＯＦＤＭ）、および／またはアクセスノードおよび移動体ノード間の無線通信リンクを提供するために使用できるさまざまな他のタイプの通信技術とともに使用することができ、さまざまな実施形態で使用される。一部の実施形態では、アクセスノードは基地局として実施され、ＯＦＤＭおよび／またはＣＤＭＡを使用する移動体ノードとの通信リンクを確立する。さまざまな実施形態では、移動体ノードは、さまざまな実施形態の方法を実施するための、ノートブックコンピュータ、携帯情報端末（ＰＤＡ）、または受信器／送信器回路ならびに論理および／もしくはルーチンを含む他の携帯型装置として実施される。
【図面の簡単な説明】
【０１０６】
【図１】さまざまな実施形態によって実施される例示的な無線通信システムを示す図。
【図２】さまざまな実施形態による例示的な無線端末、たとえば移動体ノードを示す図。
【図３】さまざまな実施形態による例示的な基地局を示す図。
【図４】図４Ａ、図４Ｂ、図４Ｃ及び図４Ｄの組合せを有する伝送バックログ情報を報告する例示的な方法の流れ図を示す図。
【図５】図５Ａ、図５Ｂ、図５Ｃ、図５Ｄ、図５Ｅ、図５Ｆの組合せを有する無線通信装置を動作して伝送バックログ情報を報告する例示的な方法の流れ図を示す図。
【図６】例示的な直交周波数分割多重方式（ＯＦＤＭ）の多元接続無線通信システムにおける、例示的なアップリンクタイミングおよび周波数構造内の例示的なアップリンク専用制御チャネル（ＤＣＣＨ）セグメントを示す図。
【図７】例示的なＤＣＣＨ報告構造で使用される１組の例示的な専用制御チャネル報告（ＤＣＲ）の表を示す図。
【図８】図９の専用制御チャネル報告を含む例示的な専用制御チャネル報告形式を示す図。
【図９】例示的な４ビットアップリンクトラヒック要求報告（ＵＬＲＱＳＴ４）の例示的な形式を記載する表と、代替報告を記載する列とを示す図。
【図１０】例示的な４ビットアップリンクトラヒック要求報告（ＵＬＲＱＳＴ４）の別の例示的な形式を記載する表と、代替報告を記載する列とを示す図。
【図１１】例示的な無線端末内の３つの例示的な要求グループを示す図。
【図１】
2009521858.tif 000003
【図２】
2009521858.tif 000004
【図３】
2009521858.tif 000005
【図４】
2009521858.tif 000006
【図４Ａ】
2009521858.tif 000007
【図４Ｂ】
2009521858.tif 000008
【図４Ｃ】
2009521858.tif 000009
【図４Ｄ】
2009521858.tif 000010
【図５】
2009521858.tif 000011
【図５Ａ】
2009521858.tif 000012
【図５Ｂ】
2009521858.tif 000013
【図５Ｃ】
2009521858.tif 000014
【図５Ｄ】
2009521858.tif 000015
【図５Ｅ】
2009521858.tif 000016
【図５Ｆ】
2009521858.tif 000017
【図６】
2009521858.tif 000018
【図７】
2009521858.tif 000019
【図８】
2009521858.tif 000020
【図９】
2009521858.tif 000021
【図１０】
2009521858.tif 000022
【図１１】
2009521858.tif 000023
【国際調査報告】
2009521858.tif 000024
2009521858.tif 000025